(57)【要約】      （修正有）【課題】ディスプレイパネルから出力される音の音質を向上させることができるスピーカ装置を提供する。【解決手段】スピーカ装置１は、ディスプレイパネル１０と、支持部５０と、アクチュエータ３０とを備える。支持部５０は、ディスプレイパネル１０を支持する。アクチュエータ３０は、駆動によってディスプレイパネル１０を振動させてディスプレイパネル１０から音を出力させる。また、支持部５０は、ディスプレイパネル１０をアクチュエータ３０の駆動方向に沿って移動可能に支持する。【選択図】図１Ａ
2020188413.tif 000002
【特許請求の範囲】
【請求項１】
ディスプレイパネルと、
前記ディスプレイパネルを支持する支持部と、
駆動によって前記ディスプレイパネルを振動させて前記ディスプレイパネルから音を出力させるアクチュエータと
を備え、
前記支持部は、
前記ディスプレイパネルを前記アクチュエータの駆動方向に沿って移動可能に支持すること
を特徴とするスピーカ装置。
【請求項２】
前記ディスプレイパネルの裏面側に配置される基部
をさらに備え、
前記支持部は、
前記ディスプレイパネルおよび前記基部の一方に設けられ、前記ディスプレイパネルを前記アクチュエータの駆動方向に沿って移動可能に支持する支持体と、
前記ディスプレイパネルおよび前記基部の他方に設けられ、前記支持部の移動をガイドするガイド部と
を含むことを特徴とする請求項１に記載のスピーカ装置。
【請求項３】
前記支持部は、複数設けられること
を特徴とする請求項１または２に記載のスピーカ装置。
【請求項４】
前記支持体は、
前記ディスプレイパネルおよび前記基部の一方から突出するように設けられる突起部であり、
前記ガイド部は、
前記突起部が挿通可能な穴部であること
を特徴とする請求項２に記載のスピーカ装置。
【請求項５】
前記穴部は、
前記ディスプレイパネルおよび前記基部の他方を貫通する貫通穴であること
を特徴とする請求項４に記載のスピーカ装置。
【請求項６】
前記穴部は、
底部を有する穴であること
を特徴とする請求項４に記載のスピーカ装置。
【請求項７】
前記アクチュエータの駆動による前記ディスプレイパネルの駆動方向の振動を減衰させるダンパ部
をさらに備えることを特徴とする請求項１〜６のいずれか一つに記載のスピーカ装置。
【請求項８】
前記アクチュエータは、
可動部と、
前記可動部を収容可能な凹部が形成されるベース部と
を備え、
前記凹部は、
底部を有する穴であること
を特徴とする請求項１〜７のいずれか一つに記載のスピーカ装置。
【発明の詳細な説明】
【技術分野】
【０００１】
本発明は、スピーカ装置に関する。
【背景技術】
【０００２】
従来、例えば板状の振動体（振動板）をアクチュエータによって駆動（振動）させることで、振動板から音を出力させるスピーカ装置が種々提案されている（例えば特許文献１参照）。
【０００３】
また、スピーカ装置の種類としては、コーン紙等の専用の振動板ではなく、例えばシャーシやケース、ディスプレイパネル等の板状体を振動体として兼用し、かかる振動体をアクチュエータによって振動させることで、振動体から音を出力させる振動体兼用型のスピーカ装置も知られている。なお、従来技術に係る振動体兼用型のスピーカ装置にあっては、振動体の周囲が固定されるように構成される。
【先行技術文献】
【特許文献】
【０００４】
【特許文献１】特開２０１６−１７１５５５号公報
【発明の概要】
【発明が解決しようとする課題】
【０００５】
しかしながら、従来技術に係る振動体兼用型のスピーカ装置においては、振動体となるシャーシやケース、ディスプレイパネル等の機能上、振動体の周囲が固定されるため、振動体は中央付近が振動して音を出力する、言い換えると、板状の振動体は撓みながら振動して（分割振動）音を出力することとなる。そのため、従来技術にあっては、振動体（例えばディスプレイパネル）の動作範囲が制限され、結果として例えば振幅の大きい低周波域の音を出力しにくくなり、ディスプレイパネルから出力される音の音質が低下するおそれがあった。
【０００６】
本発明は、上記に鑑みてなされたものであって、ディスプレイパネルから出力される音の音質を向上させることができるスピーカ装置を提供することを目的とする。
【課題を解決するための手段】
【０００７】
上記課題を解決し、目的を達成するために、本発明は、スピーカ装置において、ディスプレイパネルと、支持部と、アクチュエータとを備える。支持部は、前記ディスプレイパネルを支持する。アクチュエータは、駆動によって前記ディスプレイパネルを振動させて前記ディスプレイパネルから音を出力させる。また、前記支持部は、前記ディスプレイパネルを前記アクチュエータの駆動方向に沿って移動可能に支持する。
【発明の効果】
【０００８】
本発明によれば、ディスプレイパネルから出力される音の音質を向上させることができる。
【図面の簡単な説明】
【０００９】
【図１Ａ】図１Ａは、第１の実施形態に係るスピーカ装置の平面図である。
【図１Ｂ】図１Ｂは、従来技術に係るスピーカ装置の平面図である。
【図２】図２は、スピーカ装置の搭載例を示す図である。
【図３】図３は、スピーカ装置を前方側から見たときの斜視図である。
【図４】図４は、スピーカ装置を後方側から見たときの斜視図である。
【図５】図５は、スピーカ装置の平面図である。
【図６】図６は、スピーカ装置の分解斜視図である。
【図７】図７は、ディスプレイパネルの背面図である。
【図８】図８は、基部の背面図である。
【図９】図９は、アクチュエータの斜視図である。
【図１０】図１０は、図５のＸ−Ｘ線断面図である。
【図１１】図１１は、図５のXI−XI線断面図である。
【図１２】図１２は、図５のXII−XII線断面斜視図である。
【図１３】図１３は、ダンパ部の分解斜視図である。
【図１４】図１４は、第２の実施形態に係る支持体およびガイド部付近の断面図である。
【図１５】図１５は、第３の実施形態に係るアクチュエータ付近の断面図である。
【発明を実施するための形態】
【００１０】
以下、添付図面を参照して、本願の開示するスピーカ装置の実施形態を詳細に説明する。なお、以下に示す実施形態によりこの発明が限定されるものではない。
【００１１】
（第１の実施形態）
＜１．スピーカ装置の概要＞
以下では先ず、第１の実施形態に係るスピーカ装置の概要について図１Ａを参照して説明する。図１Ａは、第１の実施形態に係るスピーカ装置の平面図である。
【００１２】
なお、図１Ａや後述する図１Ｂ以降に示す図は、いずれも模式図である。したがって、図１Ａ等に示される各構成要素の大きさや形状等は必ずしも正確ではない。また、各図では、理解の便宜のため、各構成要素を誇張して示す場合がある。また、図１Ａ等には、位置関係を明確にするために、互いに直交するＸ軸方向、Ｙ軸方向およびＺ軸方向を規定し、Ｚ軸正方向を鉛直上向き方向とする。かかる３次元の直交座標系は、他の図面でも示される場合がある。
【００１３】
なお、スピーカ装置１は、例えば車両Ｃに取り付けられるが（後述する図２参照）、これに限定されるものではない。また、以下では、車室内から車両Ｃ（図２参照）の前方を見たときを基準として、Ｘ軸正方向を「右方」、Ｘ軸負方向を「左方」、Ｙ軸正方向を「前方」、Ｙ軸負方向を「後方」と記載する場合もある。
【００１４】
図１Ａに示すように、スピーカ装置１は、ディスプレイパネル１０と、基部２０と、アクチュエータ３０と、アクチュエータベース４０とを備える。かかるスピーカ装置１は、ディスプレイパネル１０をアクチュエータ３０によって駆動（振動）させることで、ディスプレイパネル１０から音を出力させる、いわゆるディスプレイスピーカ装置である。言い換えると、スピーカ装置１は、ディスプレイパネル１０を、後述する情報を表示する表示部としての機能に加え、音を出力させる振動体としても機能するようにした、振動体兼用型のスピーカ装置である。
【００１５】
ディスプレイパネル１０は、例えばナビゲーション情報など各種情報が表示される表示面１１を有する。ディスプレイパネル１０としては、例えば略直方体状で比較的薄型の液晶ディスプレイや有機ＥＬ(Electro-Luminescence)を用いることができるが、これらに限られない。また、ディスプレイパネル１０は、例えば、ガラスなどの剛性が比較的高い素材で形成される。なお、ディスプレイパネル１０の詳しい構成については、図６，７等を用いて後述する。
【００１６】
基部２０は、ディスプレイパネル１０の裏面１０ａ側、言い換えると、後方（Ｙ軸負方向）側に配置される。また、基部２０は、ディスプレイパネル１０やアクチュエータベース４０などが取り付けられるシャーシである。なお、基部２０の詳しい構成については、図６，８等を用いて後に説明する。
【００１７】
アクチュエータ３０は、駆動によって、振動体であるディスプレイパネル１０を振動させてディスプレイパネル１０から音を出力させる。例えば、アクチュエータ３０は、基部２０の内部に収容されるとともに、ディスプレイパネル１０に接続される。また、アクチュエータ３０は、図１Ａに示す矢印Ｅの方向に駆動することができる。なお、以下では、アクチュエータ３０の駆動する方向を「駆動方向Ｅ」と記載する場合がある。
【００１８】
上記のように構成されたアクチュエータ３０は、接続されたディスプレイパネル１０を前後方向（Ｙ軸方向）に駆動（振動）させることができる。なお、アクチュエータ３０の詳しい構成については、図９，１０等を用いて後述する。
【００１９】
アクチュエータベース４０は、基部２０の裏面２０ａ側、言い換えると、後方（Ｙ軸負方向）側に配置される。また、アクチュエータベース４０は、アクチュエータ３０が取り付けられる部材である。なお、アクチュエータベース４０の詳しい構成については、図６等を参照して後述する。
【００２０】
次に、ディスプレイパネル１０のアクチュエータベース４０に対する取り付けについて説明する。ここで、かかる取り付けの説明に入る前に、従来技術に係るスピーカ装置におけるディスプレイパネル１０の取り付けについて、図１Ｂを用いて説明する。図１Ｂは、従来技術に係るスピーカ装置の平面図である。
【００２１】
図１Ｂに示すように、従来技術に係るスピーカ装置１００において、ディスプレイパネル１０は、端部１０ｂがアクチュエータベース４０に固定部材１１０を介して固定されて取り付けられる。
【００２２】
このように、スピーカ装置１００においては、ディスプレイパネル１０の周辺である端部１０ｂが固定されるため、ディスプレイパネル１０は、図１Ｂに想像線で示すように、中央付近１０ｃが振動して音を出力することとなる（矢印Ｂ参照）。すなわち、板状のディスプレイパネル１０は、撓みながら振動して（分割振動）音を出力することとなる。また、ディスプレイパネル１０は、上記したように剛性が比較的高い素材で形成されることから、撓みにくく、よってディスプレイパネル１０において大きな振幅の確保が難しい。
【００２３】
このように、従来技術に係るスピーカ装置１００にあっては、ディスプレイパネル１０の動作範囲が制限され、結果として例えば振幅の大きい低周波域の音を出力しにくくなり、ディスプレイパネル１０から出力される音の音質が低下するおそれがあった。
【００２４】
そこで、本実施形態に係るスピーカ装置１にあっては、ディスプレイパネル１０から出力される音の音質を向上させることができる構成とした。以下、かかる構成について図１Ａに戻って詳しく説明する。
【００２５】
図１Ａに示すように、スピーカ装置１は、ディスプレイパネル１０を支持する支持部５０を備える。そして、かかる支持部５０は、ディスプレイパネル１０をアクチュエータ３０の駆動方向Ｅに沿って移動可能に支持するように構成される。これにより、ディスプレイパネル１０から出力される音の音質を向上させることができる。
【００２６】
詳しく説明すると、支持部５０は、支持体５１と、ガイド部５２とを含む。支持体５１は、ディスプレイパネル１０の裏面１０ａに設けられる。例えば、支持体５１は、ディスプレイパネル１０の裏面１０ａから基部２０へ向けて突出するように設けられる突起部である。
【００２７】
ガイド部５２は、上記した支持体５１の移動をガイドする。例えば、ガイド部５２は、基部２０の前面２０ｂにおいて支持体５１に対応する位置に設けられる。また、例えば、ガイド部５２は、支持体（突起部）５１が挿通可能な穴部である。
【００２８】
そして、上記のように構成された支持体５１は、ガイド部５２に挿通されることで、ディスプレイパネル１０をアクチュエータ３０の駆動方向Ｅに沿って移動可能に支持する。これにより、ディスプレイパネル１０は、矢印Ａで示すように、アクチュエータ３０の駆動方向Ｅに沿った移動が許容される。
【００２９】
また、ディスプレイパネル１０は、支持体５１がガイド部５２に挿通されることにより、アクチュエータ３０の駆動方向Ｅに対して交わる方向への移動が規制される。上記したアクチュエータ３０の駆動方向Ｅ（すなわち前後方向（Ｙ軸方向））に対して交わる方向は、例えばディスプレイパネル１０の左右方向（Ｘ軸方向）や上下方向（Ｚ軸方向）を含むが、これに限られるものではない。
【００３０】
このように、本実施形態に係るスピーカ装置１にあっては、支持部５０を備えることで、詳しくは支持体５１およびガイド部５２などを備えることで、ディスプレイパネル１０は、想像線で示すように、アクチュエータ３０の駆動方向Ｅに沿って全体的に平行移動することが可能になる（矢印Ａ参照）。
【００３１】
上記したように、本実施形態にあっては、ディスプレイパネル１０を、撓ませることなく、駆動方向Ｅに沿って平行移動させるため、例えば、ディスプレイパネル１０の動作範囲が制限されにくく、結果として例えば振幅の大きい低周波域の音を出力することが可能になる。これにより、本実施形態に係るスピーカ装置１にあっては、低周波域から高周波域にわたって音を出力することが可能となり、よってディスプレイパネル１０から出力される音の音質を向上させることができる。
【００３２】
なお、上記では、支持体５１がディスプレイパネル１０に設けられ、ガイド部５２が基部２０に設けられるようにしたが、これに限定されるものではなく、例えば支持体５１が基部２０に設けられ、ガイド部５２がディスプレイパネル１０に設けられるようにしてもよい。
【００３３】
＜２．スピーカ装置の搭載例＞
次に、スピーカ装置１の搭載例について図２を参照して説明する。図２は、本実施形態に係るスピーカ装置１の搭載例を示す図である。図２に示すように、本実施形態に係るスピーカ装置１は、一例として車両Ｃに搭載される。
【００３４】
例えば、スピーカ装置１は、車両Ｃのインストルメントパネル２の上部に設置される。例えば、スピーカ装置１は、アクチュエータベース４０など下方に位置する部位がインストルメントパネル２の内部に位置するように設置される。
【００３５】
また、ディスプレイパネル１０の表示面１１は、インストルメントパネル２から露出するように配置され、かかる表示面１１には、上記したように、例えばナビゲーション情報などの各種情報が表示される。このように、スピーカ装置１は、インストルメントパネル２の上方付近に取り付けられるヘッドアップ型のディスプレイスピーカ装置である。
【００３６】
これにより、座席３に着座したユーザ（例えばドライバ。図示せず）は、運転中において車両Ｃの前方を見ながら視線を大きく移動させずに、表示面１１に表示された各種情報を確認することができる。
【００３７】
なお、上記したスピーカ装置１の設置位置は、あくまでも例示であって限定されるものではなく、例えばインストルメントパネル２の中央部または下部に設置されてもよい。また、上記では、スピーカ装置１が車両Ｃに搭載される例を示したが、これに限られず、例えばＤＶＤ（Digital  Versatile  Disc）を再生するポータブルプレーヤなど、その他の電子機器のスピーカ装置（ディスプレイスピーカ装置）であってもよい。
【００３８】
＜３．スピーカ装置の具体的構成＞
次に、スピーカ装置１の具体的な構成ついて図３以降を用いて詳しく説明する。図３は、スピーカ装置１を前方側から見たときの斜視図であり、図４は、スピーカ装置１を後方側から見たときの斜視図である。また、図５は、スピーカ装置１の平面図である。
【００３９】
図３〜図５に示すように、スピーカ装置１は、上記したディスプレイパネル１０、基部２０、アクチュエータ３０（図３，４で見えず。図５では破線で示す）、アクチュエータベース４０、および、支持体５１（図４のみ示す）とガイド部５２（図３で見えず）とを含む支持部５０（図４参照）を備える。
【００４０】
また、図４，５に示すように、スピーカ装置１は、ダンパ部６０をさらに備える。ダンパ部６０は、ディスプレイパネル１０の振動を減衰させるように構成されるが、これについては図６，１２，１３等を用いて後に説明する。
【００４１】
ここで、ディスプレイパネル１０について、図６および図７を用いて詳しく説明する。図６は、スピーカ装置１の分解斜視図であり、図７は、ディスプレイパネル１０の背面図である。
【００４２】
図６および図７に示すように、ディスプレイパネル１０は、平板状（薄板状）であり、背面視において矩形状または略矩形状に形成される。ディスプレイパネル１０には、上記した支持体５１が複数個（図６等の例では３個）設けられる。なお、図６等の例では、支持体５１が３個設けられるようにしたが、これに限られず、４個以上または２個以下であってもよい。
【００４３】
また、図７に示すように、支持体５１は、ディスプレイパネル１０を上下方向（Ｚ軸方向）に区画する中心線Ｄ１に対し、上側の領域および下側の領域にそれぞれに設けられる。また、支持体５１は、ディスプレイパネル１０を左右方向（Ｘ軸方向）に区画する中心線Ｄ２に対し、左側の領域および右側の領域にそれぞれに設けられる。
【００４４】
このように、支持体５１は、ディスプレイパネル１０の裏面１０ａにおいて、偏りが比較的少なくなるような位置に設けられる。これにより、支持体５１は、ディスプレイパネル１０がアクチュエータ３０の駆動方向Ｅ（図１Ａ参照）に沿って移動（振動）する際に、ディスプレイパネル１０を安定して支持することができる。
【００４５】
なお、図６および図７等に示す支持体５１の位置は、あくまでも例示であって、限定されるものではない。また、図示は省略するが、支持体５１は、例えばディスプレイパネル１０において左右対称となるような位置や上下対称となるような位置に設けられてもよい。
【００４６】
また、ディスプレイパネル１０には、ダンパ部６０の軸部６１（後述）が複数個設けられる。なお、図６等の例では、軸部６１を含むダンパ部６０が４個設けられるようにしたが、これに限られず、５個以上または３個以下であってもよい。
【００４７】
また、図７に示すように、ダンパ部６０は、ディスプレイパネル１０を上下方向に区画する中心線Ｄ１に対し、上側の領域および下側の領域にそれぞれに設けられる。また、ダンパ部６０は、ディスプレイパネル１０の中心線Ｄ１上に位置するように設けられる。また、ダンパ部６０は、ディスプレイパネル１０を左右方向に区画する中心線Ｄ２に対し、左側の領域および右側の領域にそれぞれに設けられる。
【００４８】
このように、ダンパ部６０は、ディスプレイパネル１０の裏面１０ａにおいて、偏りが比較的少なくなるような位置に設けられる。ダンパ部６０は、上記したようにディスプレイパネル１０の振動を減衰させることから、上記の位置に設けられることで、振動を効果的に減衰させることが可能になる。
【００４９】
なお、図６および図７等に示すダンパ部６０の位置は、あくまでも例示であって、限定されるものではない。また、図示は省略するが、ダンパ部６０は、例えばディスプレイパネル１０において上下対称となるような位置に設けられてもよい。
【００５０】
なお、支持体５１のディスプレイパネル１０への接続については図１１を参照し、ダンパ部６０の軸部６１のディスプレイパネル１０への接続については図１２，１３を参照して後述する。
【００５１】
次に、基部２０について、図６および図８を用いて詳しく説明する。図８は、基部２０の背面図である。
【００５２】
図６および図８に示すように、基部２０は、背面視おいて矩形状または略矩形状に形成されるとともに、開口部２１と、上記したガイド部５２と、ダンパ部６０の挿通穴６２およびダンパ用ガイド部６３とを備える。
【００５３】
開口部２１は、例えば基部２０の中央部付近に形成される。かかる開口部２１には、図６に示すように、アクチュエータ３０やアクチュエータベース４０が挿通されて配置される。
【００５４】
ガイド部５２は、基部２０に複数個設けられる、詳しくは、支持体５１と対応する個数設けられる。なお、図６等の例では、ガイド部５２が３個設けられるようにしたが、これに限られず、支持体５１の個数に応じて４個以上または２個以下であってもよい。
【００５５】
このように、本実施形態に係るスピーカ装置１にあっては、支持体５１とガイド部５２とを含む支持部５０は、複数（ここでは３個）設けられる。これにより、本実施形態においては、ディスプレイパネル１０がアクチュエータ３０の駆動方向Ｅ（図１Ａ参照）に沿って移動（振動）する際に、ディスプレイパネル１０を、支持部５０が１個である場合に比べて安定して支持することができる。
【００５６】
また、ガイド部５２は、基部２０において支持体５１と対応する位置に設けられる。ガイド部５２は、支持体（突起部）５１（図１Ａ参照）が挿通可能な穴部であり、詳しくは、基部２０を貫通する貫通穴である。
【００５７】
ダンパ部６０の挿通穴６２およびダンパ用ガイド部６３は、基部２０に複数個設けられる。なお、挿通穴６２およびダンパ用ガイド部６３は、ダンパ部６０を構成することから、図６等の例では、軸部６１（図６参照）と同様に、４個設けられるが、個数は上記に限られない。
【００５８】
また、挿通穴６２およびダンパ用ガイド部６３は、基部２０において軸部６１と対応する位置に設けられる。なお、挿通穴６２およびダンパ用ガイド部６３は、軸部６１が挿通可能な穴部であるが、これについては後述する。
【００５９】
次に、アクチュエータ３０について説明する。アクチュエータ３０は、図６等に示すように、複数（ここでは２個）設けられる。なお、アクチュエータ３０の個数は例示であって限定されるものではない。
【００６０】
ここで、図９，１０を用い、アクチュエータ３０について詳しく説明する。図９は、アクチュエータ３０の斜視図である。図１０は、図５のＸ−Ｘ線断面図であり、アクチュエータ３０付近の断面図である。
【００６１】
図９および図１０に示すように、アクチュエータ３０は、ベース部３１と、可動部３２とを備え、ディスプレイパネル１０（図１０参照）を駆動させてディスプレイパネル１０から音を出力させる。なお、アクチュエータ３０としては、ボイスコイルを有するアクチュエータや圧電素子（ピエゾ素子）を有するアクチュエータなどを用いることができるが、これに限定されるものではない。
【００６２】
ベース部３１は、アクチュエータベース４０に固定される。例えば、ベース部３１は、図６および図１０に示すように、アクチュエータベース４０の取付部４２（後述）の取付面４２ａに固定される。
【００６３】
可動部３２は、ベース部３１に対して可動する部位である。詳しくは、可動部３２は、ベース部３１の中央に形成された凹部３１ａに収容される。また、可動部３２は、ベース部３１から一部が突出するように配置され、ベース部３１に対して前後方向（Ｙ軸方向）に可動することができる。したがって、かかる前後方向（Ｙ軸方向）が、上記したアクチュエータ３０の駆動方向Ｅとなる。
【００６４】
また、可動部３２の先端は、ディスプレイパネル１０に接続されて取り付けられる。なお、ダンパ部６０等によりディスプレイパネル１０がアクチュエータ３０側に付勢されている場合は、可動部３２の先端はディスプレイパネル１０に当接させるだけでもよい、すなわち接着等は不要であってもよい。
【００６５】
そして、アクチュエータ３０は、図示しない制御装置から音声信号が入力されると、可動部３２を駆動方向Ｅに沿って往復駆動し、かかる駆動によってディスプレイパネル１０が振動し、ディスプレイパネル１０から音声信号に応じた音が出力される。なお、２個のアクチュエータ３０は、同期して（同時に同じ方向に）駆動する。
【００６６】
次に、アクチュエータベース４０について、図６を用いて説明する。図６に示すように、アクチュエータベース４０は、本体部４１と、取付部４２とを備える。本体部４１は、略直方体状に形成される。また、本体部４１は、背面視において基部２０の開口部２１の開口面積より大きい形状に形成される。
【００６７】
取付部４２は、本体部４１の前面側に形成されるとともに、略直方体状に形成される。また、取付部４２は、背面視において開口部２１の開口面積より小さい形状に形成される。また、取付部４２の前面である取付面４２ａには、上記したように、アクチュエータ３０（正確にはアクチュエータ３０のベース部３１）が取り付けられる。
【００６８】
そして、アクチュエータベース４０は、上記した形状に形成されることから、取り付けられたアクチュエータ３０や取付部４２を、基部２０の開口部２１に挿通させつつ、基部２０に取り付けられて固定される。なお、このときのアクチュエータベース４０の本体部４１は、基部２０の開口部２１から露出されている（図５参照）。
【００６９】
次に、支持体５１およびガイド部５２について、図１１等を用いて詳しく説明する。図１１は、図５のXI−XI線断面図であり、支持体５１およびガイド部５２付近の断面図である。
【００７０】
図１１に示すように、支持体５１は、ディスプレイパネル１０の裏面１０ａから突出する突起部である。例えば、支持体５１は、図６，７に示すように、円柱状の軸部（シャフト）である。なお、支持体５１の形状は、上記に限られず、角柱状などその他の形状であってもよい。
【００７１】
また、支持体５１は、図１１に示すように、端部５１ａがディスプレイパネル１０の裏面１０ａに接続される。例えば、支持体５１は、端部５１ａが縮径されるように形成される。他方、ディスプレイパネル１０の裏面１０ａには、端部５１ａが挿入（詳しくは圧入）可能な挿入穴１２が形成される。そして、支持体５１は、端部５１ａが挿入穴１２に挿入（圧入）されることで、ディスプレイパネル１０の裏面１０ａに接続される。
【００７２】
なお、上記では、支持体５１が挿入穴１２に挿入（圧入）されるようにしたが、これはあくまでも例示であって限定されるものではなく、例えば接着剤などその他の手法でディスプレイパネル１０に接続されてもよい。また、上記では、ディスプレイパネル１０と支持体５１とが別体である例を示したが、これに限定されるものではなく、一体であってもよい。
【００７３】
ガイド部５２は、支持体（突起部）５１が移動自在に挿通される穴部である。また、ガイド部５２は、支持体５１が挿通されることで、支持体５１の移動を挿通方向（矢印Ｆ参照）にガイドする。これにより、上述したように、支持体５１が接続されたディスプレイパネル１０は、アクチュエータ３０の駆動方向Ｅ（図１Ａ参照）に沿って全体的に平行移動することが可能になるため、例えば振幅の大きい低周波域の音を出力でき、よってディスプレイパネル１０から出力される音の音質を向上させることができる。
【００７４】
また、例えば、ガイド部５２である穴部は、基部２０を貫通する貫通穴である。これにより、例えば、支持体５１がガイド部５２を往復移動する際、ガイド部５２内の空気は基部２０の裏面２０ａ側から抜けるため、支持体５１に作用する空気抵抗を低減させることができる。かかる空気抵抗の低減により、支持体５１が接続されたディスプレイパネル１０は、アクチュエータ３０の駆動に対して精度良く追従することが可能になり、よってディスプレイパネル１０から出力される音の音質をより一層向上させることができる。
【００７５】
次に、ダンパ部６０について、図１２および図１３を用いて詳しく説明する。図１２は、図５のXII−XII線断面斜視図であり、ダンパ部６０付近の断面図である。また、図１３は、図１２に示すダンパ部６０の分解斜視図である。
【００７６】
図１２および図１３に示すように、ダンパ部６０は、上記した軸部６１と、挿通穴６２と、ダンパ用ガイド部６３と、第１減衰部材６４と、第２減衰部材６５と、ワッシャ部６６と、ネジ部６７とを備える。
【００７７】
軸部６１は、ディスプレイパネル１０の裏面１０ａから突出するように設けられる。また、軸部６１は、円柱状に形成されるが、これに限られず、角柱状などその他の形状であってもよい。
【００７８】
例えば、軸部６１は、端部６１ａがディスプレイパネル１０の裏面１０ａに接続される。例えば、軸部６１は、端部６１ａが縮径されるように形成される。他方、ディスプレイパネル１０の裏面１０ａには、端部６１ａが挿入（詳しくは圧入）可能な挿入穴１３が形成される。そして、軸部６１は、端部６１ａが挿入穴１３に挿入（圧入）されることで、ディスプレイパネル１０の裏面１０ａに接続される。
【００７９】
なお、上記では、軸部６１が挿入穴１３に挿入（圧入）されるようにしたが、これに限定されるものではなく、例えば接着剤などその他の手法でディスプレイパネル１０に接続されてもよい。また、上記では、ディスプレイパネル１０と軸部６１とが別体である例を示したが、一体であってもよい。
【００８０】
また、軸部６１は、ネジ穴６１ｂを備える。ネジ穴６１ｂには、ネジ部６７が挿入されて、軸部６１とネジ部６７とが係合される。
【００８１】
挿通穴６２は、基部２０に形成され、軸部６１が挿通される。ダンパ用ガイド部６３は、基部２０に形成される穴部である。なお、ダンパ用ガイド部６３の穴径は、挿通穴６２の穴径に比べて大きくなるように設定される。
【００８２】
また、図１２に示すように、ダンパ用ガイド部６３には、軸部６１、第１減衰部材６４、第２減衰部材６５、ワッシャ部６６およびネジ部６７が移動自在に収容される。そして、ダンパ用ガイド部６３は、収容された第１減衰部材６４やワッシャ部６６等の移動を、ディスプレイパネル１０の振動方向（矢印Ｇ参照。前後方向（Ｙ軸方向））にガイドする。
【００８３】
第１減衰部材６４は、ディスプレイパネル１０の振動を減衰させる部材である。例えば、第１減衰部材６４は、弾性体であり、詳しくはコイルばねである。第１減衰部材６４は、軸部６１の周囲を囲むようにして配置される。なお、上記では、第１減衰部材６４としてコイルばねを用いたが、これに限定されるものではなく、例えば板ばねなどその他の種類の弾性体であってもよい。
【００８４】
第２減衰部材６５は、第１減衰部材６４と同様、ディスプレイパネル１０の振動を減衰させる部材である。例えば、第１減衰部材６４は、弾性体であり、例えばゴムやウレタンなどから製作されるダンパを用いることができるが、これに限定されるものではない。
【００８５】
第２減衰部材６５は、略円筒状に形成され、軸部６１の周囲を囲むようにして配置される。また、第２減衰部材６５は、コイルばねである第１減衰部材６４の内周側に配置される。
【００８６】
ワッシャ部６６は、リング状に形成され、中央の穴部にネジ部６７が挿通される。ワッシャ部６６の径は、ダンパ用ガイド部６３の穴径より小さくなるように設定される。これにより、ワッシャ部６６は、ダンパ用ガイド部６３に収容されて、ダンパ用ガイド部６３によって移動がガイドされる。また、ワッシャ部６６の径は、挿通穴６２の穴径より大きくなるように設定される。
【００８７】
ネジ部６７は、ワッシャ部６６、第１減衰部材６４および第２減衰部材６５に挿通されつつ、軸部６１のネジ穴６１ｂに挿入されて締結固定される。これにより、ダンパ部６０にあっては、図１２に示すように、ディスプレイパネル１０とワッシャ部６６とで、基部２０、第１減衰部材６４および第２減衰部材６５を挟み込むような状態となる。
【００８８】
なお、このときの第１減衰部材６４、圧縮された状態とされ、よってディスプレイパネル１０は、基部２０側に付勢された状態とされる。また、第２減衰部材６５は、ワッシャ部６６と基部２０との間に介挿されるとともに、ワッシャ部６６と基部２０とに取り付けられた状態とされる。
【００８９】
これにより、ダンパ部６０は、例えば、振動したディスプレイパネル１０が基部２０に衝突したときの衝突音（異音）の発生を抑制することができる。すなわち、例えば、ディスプレイパネル１０が振動により、基部２０側へ近接する方向（すなわち後方（Ｙ軸負方向））へ向けて過度に移動すると、第２減衰部材６５であるダンパの弾性力が、ディスプレイパネル１０の振動を減衰させつつ、基部２０側から離間する方向（すなわち前方（Ｙ軸正方向））へと作用する。これにより、振動したディスプレイパネル１０は、基部２０に衝突しにくくなり、衝突音の発生を抑制することができる。
【００９０】
また、ダンパ部６０は、例えば、アクチュエータ３０の駆動が停止した後に、ディスプレイパネル１０の振動を第１減衰部材６４および第２減衰部材６５により減衰させて、ディスプレイパネル１０をゆるやかに停止させることができる。
【００９１】
また、ダンパ部６０は、例えば、ディスプレイパネル１０の基部２０からの脱落を防止することができる。すなわち、例えば、ディスプレイパネル１０が振動により、基部２０側から離間する方向（すなわち前方（Ｙ軸正方向））へ向けて過度に移動すると、第１減衰部材６４および第２減衰部材６５が圧縮する。また、ワッシャ部６６は、ディスプレイパネル１０とともに前方（Ｙ軸正方向））へ向けて移動するが、径が挿通穴６２の穴径より大きいため、挿通穴６２から抜け出ることはない。したがって、圧縮した第１減衰部材６４および第２減衰部材６５や、ワッシャ部６６は、ディスプレイパネル１０が基部２０側から離間する方向への過度な移動を規制するストッパとして機能し、よってディスプレイパネル１０の基部２０からの脱落を防止することができる。
【００９２】
なお、上記では、ダンパ部６０が、第１減衰部材６４および第２減衰部材６５を備えるようにしたが、これに限定されるものではなく、例えば第１減衰部材６４および第２減衰部材６５のいずれか一方を備えるようにしてもよい。
【００９３】
上述してきたように、第１の実施形態に係るスピーカ装置１は、ディスプレイパネル１０と、支持部５０と、アクチュエータ３０とを備える。支持部５０は、ディスプレイパネル１０を支持する。アクチュエータ３０は、駆動によってディスプレイパネル１０を振動させてディスプレイパネル１０から音を出力させる。また、支持部５０は、ディスプレイパネル１０をアクチュエータ３０の駆動方向Ｅに沿って移動可能に支持する。これにより、ディスプレイパネル１０から出力される音の音質を向上させることができる。
【００９４】
また、振動体は、ディスプレイパネル１０である。これにより、振動体として機能するディスプレイパネル１０から出力される音の音質を向上させることができる。
【００９５】
（第２の実施形態）
＜４．第２の実施形態に係るスピーカ装置の構成＞
次いで、第２の実施形態に係るスピーカ装置１の構成について図１４を参照しつつ説明する。図１４は、第２の実施形態に係る支持体５１およびガイド部１５２付近の断面図である。なお、以下においては、第１の実施形態と共通の構成については、同一の符号を付して説明を省略する。
【００９６】
第２の実施形態にあっては、支持体５１、および、ガイド部１５２が、ディスプレイパネル１０の振動を減衰させるダンパとして機能するように構成した。
【００９７】
具体的に説明すると、ガイド部１５２は、支持体（突起部）５１が挿通可能な穴部であり、かかる穴部は、底部１５２ａを有する穴である。また、ガイド部１５２である穴部は、例えば、支持体５１が挿通されたときに、所定の空間Ｋが形成される深さに設定される。
【００９８】
これにより、支持体５１およびガイド部１５２は、ディスプレイパネル１０の振動を減衰させるダンパとして機能することができる。すなわち、例えば、ディスプレイパネル１０の振動に伴って支持体５１がガイド部１５２を往復移動する（矢印Ｊ参照）。このとき、例えば、支持体５１が後方（Ｙ軸負方向）へ移動すると、ガイド部１５２内の空間Ｋの空気は圧縮され、圧縮された空気により、支持体５１に接続されたディスプレイパネル１０の振動は減衰される。また、例えば、支持体５１が前方（Ｙ軸正方向）へ移動すると、ガイド部１５２内の空間Ｋの負圧になり、かかる負圧により、支持体５１に接続されたディスプレイパネル１０の振動は減衰される。
【００９９】
このように、第２の実施形態にあっては、ガイド部１５２の穴部が、底部１５２ａを有する穴であるように構成したことから、支持体５１およびガイド部１５２をディスプレイパネル１０の振動を減衰させるダンパとして機能させることができる。
【０１００】
また、第２の実施形態では、第１の実施形態に係るダンパ部６０を除去することが可能になり、スピーカ装置１の構成を簡素化することができる。なお、上記では、第２の実施形態において、ダンパ部６０が除去されるようにしたが、これに限られず、第１の実施形態と同様に、ダンパ部６０を備えていてもよい。
【０１０１】
（第３の実施形態）
＜５．第３の実施形態に係るスピーカ装置の構成＞
次いで、第３の実施形態に係るスピーカ装置１について図１５を参照しつつ説明する。図１５は、第３の実施形態に係るアクチュエータ３０付近の断面図である。第３の実施形態にあっては、アクチュエータ３０が、ディスプレイパネル１０の振動を減衰させるダンパとして機能するように構成した。
【０１０２】
具体的に説明すると、図１５に示すように、ベース部３１の凹部３１ａは、可動部３２を収容可能な穴部であり、かかる穴部は、底部３１ｂを有する穴である。また、凹部３１ａは、例えば、可動部３２が収容されたときに、所定の空間Ｋ１が形成される深さに設定される。
【０１０３】
これにより、アクチュエータ３０は、ディスプレイパネル１０の振動を減衰させるダンパとして機能することができる。すなわち、例えば、アクチュエータ３０の可動部３２は、駆動方向Ｅに沿って駆動し、ディスプレイパネル１０を振動させる。このとき、例えば、可動部３２が後方（Ｙ軸負方向）へ移動すると、凹部３１ａ内の空間Ｋ１の空気は圧縮され、圧縮された空気により、可動部３２に接続されたディスプレイパネル１０の振動は減衰される。また、例えば、可動部３２が前方（Ｙ軸正方向）へ移動すると、凹部３１ａ内の空間Ｋ１の負圧になり、かかる負圧により、可動部３２に接続されたディスプレイパネル１０の振動は減衰される。
【０１０４】
このように、第３の実施形態にあっては、アクチュエータ３０のベース部３１の凹部３１ａが底部３１ｂを有する穴であることから、アクチュエータ３０をディスプレイパネル１０の振動を減衰させるダンパとして機能させることができる。
【０１０５】
また、第３の実施形態では、第１の実施形態に係るダンパ部６０を除去することが可能になり、スピーカ装置１の構成を簡素化することができる。なお、上記では、第３の実施形態において、ダンパ部６０が除去されるようにしたが、これに限られず、第１の実施形態と同様に、ダンパ部６０を備えていてもよい。
【０１０６】
なお、上記では、支持体５１が突起部であり、ガイド部５２が穴部であるようにしたが、これに限定されるものではない。すなわち、例えば、ガイド部５２が支持体５１をガイド可能なレール部である構成などその他の構成であってもよい。また、上記した第１から第３の実施形態は、適宜に組み合わせることができる。
【０１０７】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１０８】
１    スピーカ装置
１０    ディスプレイパネル
２０    基部
３０    アクチュエータ
３１    ベース部
３１ａ  凹部
３２    可動部
５０    支持部
５１    支持体
５２，１５２    ガイド部
６０    ダンパ部
【図１Ａ】
2020188413.tif 000003
【図１Ｂ】
2020188413.tif 000004
【図２】
2020188413.tif 000005
【図３】
2020188413.tif 000006
【図４】
2020188413.tif 000007
【図５】
2020188413.tif 000008
【図６】
2020188413.tif 000009
【図７】
2020188413.tif 000010
【図８】
2020188413.tif 000011
【図９】
2020188413.tif 000012
【図１０】
2020188413.tif 000013
【図１１】
2020188413.tif 000014
【図１２】
2020188413.tif 000015
【図１３】
2020188413.tif 000016
【図１４】
2020188413.tif 000017
【図１５】
2020188413.tif 000018